(57)【要約】      （修正有）【課題】バッテリーを容易に取り外すことができると共に、部品点数を低減することができる電気掃除機を提供すること。【解決手段】電動送風機３０および集塵部４０を内蔵した掃除機本体１と、掃除機本体１に装着されるバッテリー２とを備え、掃除機本体１は、バッテリー２を着脱可能に装着するバッテリー装着部５０およびバッテリー装着部５０に装着されたバッテリー２を離脱可能にロックするロック機構部６０を後部に有し、バッテリー２は下面に係止凹部を有し、バッテリー装着部５０は、バッテリー２を前後方向へスライドさせて装着または取り外し可能なように後方開口状に形成されると共に、バッテリー２を支持する上方開口状の取付凹部とを有し、ロック機構部６０は、筐体１０の後部の取付凹部に上下スライド可能に取り付けられたロック部材と、ロック部材を上方へ付勢するよう筐体１０の取付凹部内に収納された付勢部材としての圧縮バネとを備える。【選択図】図２
2019088384.tif 000002
【特許請求の範囲】
【請求項１】
電動送風機および集塵部を内蔵した掃除機本体と、前記掃除機本体に装着されるバッテリーとを備え、
前記掃除機本体は、前記バッテリーを着脱可能に装着するバッテリー装着部および前記バッテリー装着部に装着された前記バッテリーを離脱可能にロックするロック機構部を後部に有し、
前記バッテリーは下面に係止凹部を有し、
前記バッテリー装着部は、前記バッテリーを前後方向へスライドさせて装着または取り外し可能なように後方開口状に形成されると共に、前記バッテリーを支持する上方開口状の取付凹部とを有し、
前記ロック機構部は、前記取付凹部に上下スライド可能に取り付けられたロック爪と、前記ロック爪を上方へ付勢するよう前記取付凹部内に収納された付勢部材と、前記付勢部材の付勢力に抗して前記ロック爪を下方へ押し下げ可能な操作部とを有することを特徴とする電気掃除機。
【請求項２】
前記ロック爪と前記操作部とが一体の部材からなる請求項１に記載の電気掃除機。
【請求項３】
前記操作部は、前記ロック爪から後方へ突出した突片である請求項２に記載の電気掃除機。
【請求項４】
前記突片は、後方へ突出した先端部が下方へ屈曲している請求項３に記載の電気掃除機。
【請求項５】
前記バッテリーの前記係止凹部は、後方に露出する上下方向の凹部係止面を有し、
前記ロック機構部の前記ロック爪は、前方に露出して前記凹部係止面と接触可能な上下方向の接触係止面と、前記バッテリー装着部に装着される前記バッテリーの底面と摺接可能なように前記接触係止面の上端部よりも後方に設けられた摺接部とを有し、
前記摺接部が、左右軸心廻りに回転可能なローラーまたは後方へ向かって下方へ湾曲する湾曲面である請求項１〜４のいずれか１つに記載の電気掃除機。
【請求項６】
前記掃除機本体は、前記後部を下方に向けて起立できるように前記後部に脚部が設けられている請求項１〜５のいずれか１つに記載の電気掃除機。
【発明の詳細な説明】
【技術分野】
【０００１】
本発明は電気掃除機に関し、詳しくは、キャニスター型の電気掃除機に関する。
【背景技術】
【０００２】
従来の電気掃除機として、特許文献１には、電動送風機および集塵部を備えた掃除機本体の後部のバッテリー装着部にバッテリーが着脱可能に装着されるキャニスター型の電気掃除機が提案されている。
この電気掃除機において、バッテリー装着部は上方および後方に開口する凹部であり、バッテリーをバッテリー装着部に上下方向スライド可能に装着できるように構成されている。
【０００３】
また、バッテリー装着部の上部には、バッテリー装着部に装着したバッテリーを解除可能にロックするロック機構部が設けられている。
ロック機構部は、バッテリー装着部の奥壁の上部に前後方向移動可能に設けられた係止爪と、係止爪を後方へ付勢するバネと、バネの付勢力に抗して係止爪を前方へ押圧可能な係止解除ボタンとを備える。
【０００４】
このロック機構部によれば、バッテリーをバッテリー装着部へ装着することにより、装着状態におけるバッテリーの前面に設けられた係止凹部にロック機構部の係止爪が係止してロックする。
一方、係止解除ボタンを下方へ押すことにより、係止爪が前方へ移動してバッテリー装着部から引っ込んで係止凹部から離脱するため、ユーザーは係止解除ボタンを押しながらバッテリーの左右側面を掴んで引き上げることによりバッテリーをバッテリー装着部から取り外すことができる。
【先行技術文献】
【特許文献】
【０００５】
【特許文献１】特開２０１５−９６１３２号公報
【発明の概要】
【発明が解決しようとする課題】
【０００６】
特許文献１の電気掃除機の場合、バッテリーをバッテリー装着部から取り外す際、ユーザーは、例えば、係止解除ボタンを人差し指で押しながら親指と中指と薬指とでバッテリーの左右側面を掴んで引き上げなければならず、より簡単にバッテリーの取り外しができることが望まれていた。
【０００７】
つまり、バッテリーの取り外し操作には係止解除ボタンおよびバッテリーの左右側面の離れた３箇所に同時に力を加えなければならないため、特に、手が小さい、握力が弱いといったユーザーにとってはバッテリーをしっかりと掴んで引き上げる動作が難しいという不具合があった。
また、ロック機構部が係止爪、バネおよび係止解除ボタンを備えた構成であるため、部品点数が多くなってしまう問題もあった。
【０００８】
本発明は、このような課題に鑑みなされたものであり、バッテリーを容易に取り外すことができると共に、部品点数を低減することができる電気掃除機を提供することを目的とする。
【課題を解決するための手段】
【０００９】
かくして、本発明によれば、電動送風機および集塵部を内蔵した掃除機本体と、前記掃除機本体に装着されるバッテリーとを備え、
前記掃除機本体は、前記バッテリーを着脱可能に装着するバッテリー装着部および前記バッテリー装着部に装着された前記バッテリーを離脱可能にロックするロック機構部を後部に有し、
前記バッテリーは下面に係止凹部を有し、
前記バッテリー装着部は、前記バッテリーを前後方向へスライドさせて装着または取り外し可能なように後方開口状に形成されると共に、前記バッテリーを支持する上方開口状の取付凹部とを有し、
前記ロック機構部は、前記取付凹部に上下スライド可能に取り付けられたロック爪と、前記ロック爪を上方へ付勢するよう前記取付凹部内に収納された付勢部材と、前記付勢部材の付勢力に抗して前記ロック爪を下方へ押し下げ可能な操作部とを有する電気掃除機が提供される。
【発明の効果】
【００１０】
本発明の電気掃除機によれば、キャニスター型掃除機本体の後部に設けたバッテリー装着部にバッテリーを装着して係止凹部にロック爪を係止させてロック状態とすることができると共に、操作部を押し下げて係止凹部からロック爪を離脱させてバッテリー装着部からバッテリーを取り外すことができる。
特に、本発明におけるバッテリー装着部およびロック機構部によれば、バッテリー取り外しの際、ユーザーは、例えば、操作部を親指（あるいは人差し指）で押し下げながら親指と人差し指とでバッテリーの上下面を掴んで引き抜くことができるため、簡単にバッテリーを取り外すことができる。
【００１１】
つまり、バッテリーの取り外し動作は、バッテリーの上面に人差し指（あるいは親指）を配置し、かつバッテリーの下面に親指（あるいは人差し指）を配置しながら親指（あるいは人差し指）で操作部を下方へ押し、この状態でバッテリーの上下面を掴んで後方へ引き抜けばよいため、特に、手が小さい、握力が弱いといったユーザーでもバッテリーをしっかりと掴んで簡単に引き抜くことができる。この際、操作部の操作方向は下方であり、バッテリーを引き抜く方向は後方であるため、掃除機本体が動かないように別の手で押さえなくとも片手で簡単にバッテリーをバッテリー装着部から引き抜くことができる。
【図面の簡単な説明】
【００１２】
【図１】本発明の電気掃除機における掃除機本体の実施形態１を示す斜視図である。
【図２】実施形態１の掃除機本体の左側断面図である。
【図３】実施形態１の掃除機本体におけるバッテリー装着部に設けられたロック機構部の分解状態を示す斜視図である。
【図４】実施形態１の掃除機本体における上ケースを後方から視た斜視図である。
【図５】実施形態１の掃除機本体における後部の左側断面図であって（Ａ）はバッテリーのロック状態、（Ｂ）はロック解除状態を示す。
【図６】実施形態１の掃除機本体におけるロック爪であって（Ａ）は斜め上方から視た斜視図、（Ｂ）は斜め下方から視た斜視図、（Ｃ）は左側面図、（Ｄ）は底面図である。
【図７】実施形態１の掃除機本体の起立状態を示す説明図である。
【図８】実施形態２の掃除機本体における後部の左側断面図であって（Ａ）はバッテリーのロック状態、（Ｂ）はロック解除状態を示す。
【図９】実施形態３の掃除機本体に用いられるロック爪を示す斜視図である。
【図１０】実施形態４の掃除機本体に用いられるロック爪を示す斜視図である。
【発明を実施するための形態】
【００１３】
（実施形態１）
＜掃除機本体の全体構成＞
図１は本発明の電気掃除機における掃除機本体の実施形態１を示す斜視図であり、図２は実施形態１の掃除機本体の左側断面図であり、図３は実施形態１の掃除機本体におけるバッテリー装着部に設けられたロック機構部の分解状態を示す斜視図であり、図４は実施形態１の掃除機本体における上ケースを後方から視た斜視図である。
【００１４】
図１〜図４に示すように、本発明の電気掃除機は、左右一対の車輪２１および前輪２２を有する筐体１０と、筐体１０内に設けられた電動送風機３０および集塵部４０と、筐体１０の後部に外部露出状に設けられた凹形のバッテリー装着部５０と、バッテリー装着部５０に設けられたロック機構部６０とを有するキャニスター型の掃除機本体１を備えると共に、掃除機本体１のバッテリー装着部５０に着脱可能に装着されるバッテリー２を備える。
【００１５】
掃除機本体１には、図示しないハンドルおよび操作部を有する可撓性ホース、延長パイプおよび吸込口体が接続される。
なお、本発明の電気掃除機は掃除機本体１に特徴を有するため、以下では主に掃除機本体１について説明する。
【００１６】
筐体１０は、下ケース１１、上ケース１２および開閉蓋１３を備える。
下ケース１１は、筐体１０における底壁および周囲壁を構成する部材であり、周囲壁の前部に可撓性ホース（図示省略）と接続可能な接続口１１ａが設けられ、周囲壁の後部に左右一対の脚部１１ｂおよび一対の脚部１１ｂに対して二等辺三角形の頂点の位置に配置された支持凸部１１ｃが設けられ、周囲壁の後部における一対の脚部１１ｂの間に排気口１１ｄが設けられている。脚部１１ｂおよび支持凸部１１ｃの配置位置および数は特に限定されず、例えば、それぞれ２箇所ずつ四角形の頂点位置に配置されてもよい。なお、左右一対の車輪２１は下ケース１１の周囲壁の左右側部に左右方向の軸心を中心に回転可能に取り付けられ、前輪２２は底壁に左右方向の軸心を中心に回転可能にかつ垂直軸心を中心に旋回可能に取り付けられている。
【００１７】
また、下ケース１１において、電動送風機３０の収納スペースと集塵部４０との間に衝立部１１ｅが設けられ、衝立部１１ｅと電動送風機３０との間に格子状の通風口１１ｆが設けられ、電動送風機３０の後方斜め上の位置にバッテリー装着部５０の一部を構成するバッテリー支持プレート５０ａが設けられ、バッテリー支持プレート５０ａの下方位置に回路基板７０が設けられている。なお、バッテリー支持プレート５０ａは後方へ向かって上昇する傾斜状となっている。
【００１８】
また、集塵部４０内には、接続口１７から送られるダストを含む空気を取り込んでダストを捕集しかつ空気を通過させる２点鎖線で示す紙パック８０が着脱可能に取り付けられる。なお、紙パック８０が直接通風口１１ｆに接触すると通風口１１ｆが塞がれて吸引力が低下するため、衝立部１１ｅを設けることにより紙パック８０と通風口１１ｆとの間に隙間を確保するようにしている。
【００１９】
上ケース１２は、筐体１０における上壁および周囲壁の一部を構成する部材であり、周囲壁の前部に略Ｕ形のハンドル１２ａが前方突出状に設けられ、上壁の前半部分に開閉蓋１３にて覆われる集塵部４０の開口部１２ｂが設けられ、上壁の後部から周囲壁の後部に亘って上方および後方にバッテリー装着部５０の一部を構成するバッテリー挿入口５０ｂが設けられ、周囲壁の後部におけるバッテリー挿入口５０ｂ付近にロック機構部６０を取り付けるための上方開口状の取付凹部１２ｃが設けられている。なお、開閉蓋１３は、上ケース１２の周囲壁における開口部１２ｂ近傍に左右軸心を中心に回動可能に取り付けられる。
【００２０】
取付凹部１２ｃは、平面視略長方形の凹部であり、底面と、底面に対して垂直な前面、左右側面および後面と、前面と左右側面との間の隅部に設けられた上下方向の左右一対の縦溝１２ｃ1と、底面と前後面との間の隅部にそれぞれ設けられた左右一対の挿入孔１２ｃ2と、後面上端部に設けられた切欠き部１２ｃ3と、底面に設けられた位置決め凸部１２ｃ4とを有する。
【００２１】
この掃除機本体１によれば、電動送風機３０が駆動することにより、図示しない吸込口体、延長パイプおよび可撓性ホースを介してダストを含む空気が接続口１１ａを通って紙パック８０内に流入し、ダストが紙パック８０内で捕捉され、ダストが除去された空気は紙パック８０、衝立部１１ｅ、通風口１１ｆおよび電動送風機３０を通過して排気口１１ｄから外部に排出される。この際、筐体１０内における電動送風機３０の下流側の排気流路に配置された回路基板７０が空気流によって冷却される。
【００２２】
＜バッテリー装着部およびバッテリー＞
図５は実施形態１の掃除機本体における後部の左側断面図であって（Ａ）はバッテリーのロック状態、（Ｂ）はロック解除状態を示す。
図２および図５（Ａ）に示すように、バッテリー装着部５０は、前記バッテリー支持プレート５０ａおよび前記バッテリー挿入口５０ｂを有し、後方に開口しかつ前方へ向かって下降する前後方向に延びた凹部であり、その奥部にはバッテリー２の電極部２ａと電気的に接続される端子部（図示省略）が設けられている。
また、バッテリー２は、下面前部に前記電極部２ａが設けられ、下面後部に切欠き状の係止凹部２ｂが設けられ、上面後部に突起部２ｃが設けられている。また、バッテリー２の係止凹部２ｂは、後方に露出する上下方向の凹部係止面２ｂ1を有している（図５（Ｂ）参照）。
【００２３】
＜ロック機構部＞
図６は実施形態１の掃除機本体におけるロック爪であって（Ａ）は斜め上方から視た斜視図、（Ｂ）は斜め下方から視た斜視図、（Ｃ）は左側面図、（Ｄ）は底面図である。
図１〜図６に示すように、ロック機構部６０は、筐体１０の後部の取付凹部１２ｃに上下スライド可能に取り付けられたロック部材６１と、ロック部材６１を上方へ付勢するよう筐体１０の取付凹部１２ｃ内に収納された付勢部材６２としての圧縮バネとを備える。なお、付勢部材６２としては、ロック部材６１を適度な力で上方へ付勢するものであれば圧縮バネに限定されず、例えば、板バネ、弾性発泡体等を用いてもよい。
【００２４】
ロック部材６１は、筐体１０の取付凹部１２ｃ内に上下スライド可能に嵌め込まれる台部６１ａと、台部６１ａの上壁６１ａ1の前端部側に設けられたロック爪６１ｂと、台部６１ａの上壁６１ａ1の後端部側に設けられた操作部６１ｃとが一体化された１つの樹脂成形部品からなる。なお、本発明は、操作部６１ｃがロック部材６１と別体であることを排除するものではないが、部品点数、組み立て工数および製造コスト等を低減できる観点から一体の部品であることが好ましい。
【００２５】
台部６１ａは、上壁６１ａ1、前壁６１ａ2、左右側壁６１ａ3および後壁６１ａ4を有し、かつ下方開口する略直方体形に形成されている。
台部６１ａにおいて、前壁６１ａ2、左右側壁６１ａ3および後壁６１ａ4の外面は垂直面であり、上壁６１ａ1の外面は後方へ向かって僅かに上昇する傾斜面となっている。
【００２６】
また、台部６１ａにおいて、左右側壁６１ａ3の前端部側には上下方向に延びる左右一対の規制片６１ａ31が設けられ、前壁６１ａ2および後壁６１ａ4の下端部には左右一対の抜止凸片６１ａ21、６１ａ41がそれぞれ設けられ、上壁６１ａ1の内面には位置決め凸部６１ａ11が設けられている。
【００２７】
ロック爪６１ｂは、側面視略直角三角形の突条であり、前方に露出してバッテリー２の凹部係止面２ｂ1と接触可能な上下方向の接触係止面６１ｂ1と、バッテリー装着部５０に装着されるバッテリー２の底面と摺接可能なように接触係止面６１ｂ1の上端部よりも後方に設けられた摺接部６１ｂ2とを有する。
【００２８】
このロック爪６１ｂの略直角部分が台部６１ａの前壁６１ａ2に位置することにより、ロック爪６１ｂの前面６１ｂ1と前壁６１ａ2の前面である接触係止面６１ｂ1とが平滑な連続面となり、かつロック爪６１ｂの斜面である摺接部６１ｂ2が後方へ向かって下降する。
【００２９】
操作部６１ｃは、台部６１ａの後壁６１ａ4の上端部から後方へ突出した突片であり、この突片の上面と台部６１ａの上壁６１ａ1の外面とは平滑な連続面となっている。
【００３０】
筐体１０の取付凹部１２ｃにロック機構部６０を組み込む際は、付勢部材６２（圧縮バネ）の下端部を取付凹部１２ｃ内の位置決め凸部１２ｃ4に嵌め込んで位置決めした後、ロック部材６１の下端部を取付凹部１２ｃ内に挿入する。この際、ロック部材６１の左右一対の規制片６１ａ31を取付凹部１２ｃの左右の縦溝１２ｃ1内に挿入すると共に、ロック部材６１の４つの抜止凸片６１ａ21、６１ａ41を取付凹部１２ｃの前後４つの挿入孔１２ｃ2内に挿入する。
【００３１】
これにより、付勢部材６２の上端部がロック部材６１の位置決め凸部６１ａ11に嵌り込んで位置決めされると共に、４つの挿入孔１２ｃ2内に挿入された４つの抜止凸片６１ａ21、６１ａ41によってロック部材６１が取付凹部１２ｃから抜け止めされる。また、  左右一対の規制片６１ａ31によってロック部材６１の前後方向の移動（ぐらつき）が規制されるため、取付凹部１２ｃ内でロック部材６１が垂直方向（上下方向）にスライド可能となる。
【００３２】
＜バッテリーのロックおよびロック解除＞
バッテリー装着部５０にバッテリー２を挿入していくと、バッテリー２の下面側の電極部２ａがロック部材６１のロック爪６１ｂの傾斜面状の摺接部６１ｂ2を摺動し、それによってロック爪６１ｂが付勢部材６２の上方への付勢力に抗して下降する。そして、バッテリー２がバッテリー装着部５０の奥部まで進入すると、電極部２ａが端子部（図示省略）に接触する。
【００３３】
また、バッテリー２の後部の係止凹部２ｂがロック爪６１ｂを通過すると、図５（Ａ）に示すように、付勢部材６２によってロック爪６１ｂが押し上げられて係止凹部２ｂに係止する。このとき、ロック爪６１ｂの接触係止面６１ｂ1がバッテリー２の係止凹部２ｂの凹部係止面２ｂ1と接触する。これにより、バッテリー２がバッテリー装着部５０にロックされる。このロック状態では、バッテリー２の係止凹部２ｂの後部とロック部材６１の操作部６１ｃとしての突片との間に隙間Ｓ1が形成される。
【００３４】
バッテリー２をバッテリー装着部５０から取り外す際は、図５（Ａ）の２点差線で示すように、例えば、手の人差し指Ｆ２と中指（図示省略）でバッテリー２の突起部２ｃに置き、かつ親指Ｆ１を操作部６１ｃ上の隙間Ｓ1に置く。そして、図５（Ｂ）に示すように、親指Ｆ１を隙間Ｓ1内に押し込みながら操作部６１ｃを矢印Ａ方向に押し下げることにより、ロック爪６１ｂが係止凹部２ｂから離脱し、この状態で親指Ｆ１と人差し指Ｆ２等でバッテリー２を掴む。
【００３５】
そして、バッテリー２を矢印Ｂ方向に引き出すことによりバッテリー装着部５０から取り外すことができる。あるいは、バッテリー２を親指Ｆ１で掴まなくても、人差し指Ｆ２等でバッテリー２の突起部２ｃを引き寄せることによりバッテリー２が後方へ大きくスライドするため、その後にバッテリー２を掴んで取り外すことができる。
【００３６】
なお、バッテリー２の取り外し方はこれ以外の方法でもよく、例えば、人差し指Ｆ２で操作部６１ｃを押し下げながら人差し指Ｆ２と親指Ｆ１とでバッテリー２を掴んで引き抜くようにしてもよい。
【００３７】
＜掃除機本体の起立状態＞
図７は実施形態１の掃除機本体の起立状態を示す説明図である。
図７に示すように、実施形態１の掃除機本体１は、後部を床面Ｇに向けて起立状態にすることができる。このとき、ロック部材６１の操作部６１ｃが床面Ｇに接触することなく、左右一対の脚部１１ｂと支持凸部１１ｃとの３点で掃除機本体１が安定的に支持される。なお、脚部１１ｂおよび支持凸部１１ｃの配置位置および数は特に限定されず、例えば、それぞれ２箇所ずつ四角形の頂点位置に配置されてもよい。
【００３８】
本発明におけるロック機構部６０によれば、掃除機本体１を起立させる際、掃除機本体１の後部を床面Ｇに置くときに操作部６１ｃに上下方向の衝撃が加わっても、このときの操作部６１ｃの移動可能な方向は水平方向であるため不意に操作部６１ｃが動いてバッテリー２のロックが解除されてしまうおそれがない。
【００３９】
（実施形態２）
図８は実施形態２の掃除機本体における後部の左側断面図であって（Ａ）はバッテリーのロック状態、（Ｂ）はロック解除状態を示す。なお、図８（Ａ）および（Ｂ）において、図５（Ａ）および（Ｂ）中の要素と同様の要素には同一の符号を付している。
実施形態２の掃除機本体は、実施形態１の掃除機本体におけるロック部材６１（図６（Ａ）参照）の構成とは一部が異なるロック部材１６１を有すること以外は実施形態１と同様である。以下、実施形態２における実施形態１とは異なる点について主に説明する。
【００４０】
実施形態２におけるロック部材１６１は、実施形態１におけるロック部材６１と同様の台部６１ａおよびロック爪６１ｂを有すると共に、実施形態１における操作部６１ｃよりも少し大きい操作部１６１ｃを有している。
この操作部１６１ｃは、台部１６１ａから後方に突出した突片であり、その先端部が下方へ屈曲している。
【００４１】
実施形態２の構成によれば、操作部１６１ｃとしての突片とバッテリー２との間に隙間Ｓ1が形成されやすくなるため、図８（Ａ）および（Ｂ）に示すように、バッテリー装着部５０からバッテリー２を取り外す際、突片を手の親指Ｆ１にて下方へ押しやすくなることに加え、親指Ｆ１をバッテリー２の下面に配置させやすくなり、バッテリー２の取り外し動作がさらに容易となる。なお、実施形態２の掃除機本体も図７で説明したように操作部１６１ｃが床面Ｇに当接することなく起立状態とすることができる。
【００４２】
（実施形態３）
図９は実施形態３の掃除機本体に用いられるロック爪を示す斜視図である。なお、図９において、図６（Ａ）中の要素と同様の要素には同一の符号を付している。
実施形態３の掃除機本体は、実施形態１の掃除機本体におけるロック部材６１（図６（Ａ）参照）の構成とは一部が異なるロック部材２６１を有すること以外は実施形態１と同様である。以下、実施形態３における実施形態１とは異なる点について主に説明する。
【００４３】
実施形態３におけるロック部材２６１は、実施形態１におけるロック部材６１と同様の台部６１ａ、ロック爪６１ｂおよび操作部６１ｃを有すると共に、ロック爪６１ｂの斜面に摺接部としてのローラー２６１ｄが左右軸心廻りに回転可能に設けられている。このローラー２６１ｄの頂部はロック爪６１ｂの頂部と同等の高さ位置に配置されている。
【００４４】
このようにロック爪６１ｂの摺接部をローラー２６１ｄとすることにより、バッテリー装着時のバッテリー２との摺接による摩擦抵抗を低減することで寿命を上げることができ、そして、バッテリー２をバッテリー装着部５０にスムーズに装着することができる。
【００４５】
（実施形態４）
図１０は実施形態４の掃除機本体に用いられるロック爪を示す斜視図である。なお、図１０において、図６（Ａ）中の要素と同様の要素には同一の符号を付している。
実施形態３ではバッテリー２との摩擦抵抗を低減するためにロック部材２６１のロック爪６１ｂの摺接部をローラー２６１ｄとした場合を例示したが、実施形態４ではロック部材３６１のロック爪３６１ｂの摺接部を後方へ向かって下方へ湾曲する湾曲面３６１ｂ2としている。
【００４６】
このようにロック爪３６１ｂの摺接部を湾曲面３６１ｂ2としても、バッテリー装着時のバッテリー２との摺接による摩擦抵抗を低減することで寿命を上げることができ、そして、バッテリー２をバッテリー装着部５０にスムーズに装着することができる。なお、図１０では湾曲面３６１ｂ2の形状が凸状の例を示しているが、凹んだ湾曲面を有する凹形状であってもよい。
【００４７】
（他の実施形態）
実施形態１〜４では紙パック式の掃除機本体の場合を例示したが、サイクロン式の掃除機本体（例えば、特許文献１参照）の後部に実施形態１〜４で説明したバッテリー装着部およびロック機構部を設けてもよい。
【００４８】
（まとめ）
本発明の電気掃除機は、電動送風機および集塵部を内蔵した掃除機本体と、前記掃除機本体に装着されるバッテリーとを備え、
前記掃除機本体は、前記バッテリーを着脱可能に装着するバッテリー装着部および前記バッテリー装着部に装着された前記バッテリーを離脱可能にロックするロック機構部を後部に有し、
前記バッテリーは下面に係止凹部を有し、
前記バッテリー装着部は、前記バッテリーを前後方向へスライドさせて装着または取り外し可能なように後方開口状に形成されると共に、前記バッテリーを支持する上方開口状の取付凹部とを有し、
前記ロック機構部は、前記取付凹部に上下スライド可能に取り付けられたロック爪と、前記ロック爪を上方へ付勢するよう前記取付凹部内に収納された付勢部材と、前記付勢部材の付勢力に抗して前記ロック爪を下方へ押し下げ可能な操作部とを有する。
【００４９】
本発明の電気掃除機は、次のように構成されてもよく、それらが適宜組み合わされてもよい。
（１）前記ロック爪と前記操作部とが一体の部材からなってもよい。
この構成によれば、ロック機構部の部品点数を低減することができる。
【００５０】
（２）前記操作部は、前記ロック爪から後方へ突出した突片であってもよい。
この構成によれば、バッテリー装着部からバッテリーを取り外す際、操作部としての突片を手の親指にて下方へ押しやすくなるため、バッテリーの取り外し動作がより容易となる。
【００５１】
（３）前記突片は、後方へ突出した先端部が下方へ屈曲してもよい。
この構成によれば、突片とバッテリーとの間に隙間が形成されやすくなるため、バッテリー装着部からバッテリーを取り外す際、操作部としての突片を手の親指にて下方へ押しやすくなることに加え、親指をバッテリーの下面に配置させやすくなり、バッテリーの取り外し動作がさらに容易となる。
【００５２】
（４）前記バッテリーの前記係止凹部は、後方に露出する上下方向の凹部係止面を有し、
前記ロック機構部の前記ロック爪は、前方に露出して前記凹部係止面と接触可能な上下方向の接触係止面と、前記バッテリー装着部に装着される前記バッテリーの底面と摺接可能なように前記接触係止面の上端部よりも後方に設けられた摺接部とを有し、
前記摺接部が、左右軸心廻りに回転可能なローラーまたは後方へ向かって下方へ湾曲する湾曲面であってもよい。
この構成によれば、バッテリー装着部においてバッテリーをスムーズに前後方向にスライドさせることができる。特に、バッテリー装着時はバッテリーの下面がロック機構部のロック爪に摺接しながらロック爪を押し下げていくために摺接面積が多く、ロック爪の摺接部をローラーまたは湾曲面とすることにより摺接時の摩擦抵抗が低減し、バッテリーをバッテリー装着部にスムーズに装着することができる。
【００５３】
（５）前記掃除機本体は、前記後部を下方に向けて起立できるように前記後部に脚部が設けられてもよい。
この構成によれば、掃除機本体を起立させて収納することができるため、掃除機本体を狭い収納スペースに収納することができる。
また、掃除機本体を起立させる際、掃除機本体の後部を床面に置くときに操作部に上下方向の衝撃が加わっても、このときの操作部の移動可能な方向は水平方向であるため不意に操作部が動いてバッテリーのロックが解除されてしまうおそれがない。
【００５４】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００５５】
１  掃除機本体
２  バッテリー
２ｂ  係止凹部
２ｂ1  凹部係止面
１１ｂ  脚部
１１ｃ  支持凸部
１２ｃ  取付凹部
２１  車輪
３０  電動送風機
４０  集塵部
５０  バッテリー装着部
５０ａ  バッテリー支持プレート
６０  ロック機構部
６１、１６１、２６１、３６１  ロック部材
６１ｂ、３６１ｂ  ロック爪
６１ｂ1  接触係止面
６１ｂ2  斜面（摺接部）
６１ｃ、１６１ｃ  操作部
６２  付勢部材
２６１ｄ  ローラー（摺接部）
３６１ｂ2  湾曲面（摺接部）
【図１】
2019088384.tif 000003
【図２】
2019088384.tif 000004
【図３】
2019088384.tif 000005
【図４】
2019088384.tif 000006
【図５】
2019088384.tif 000007
【図６】
2019088384.tif 000008
【図７】
2019088384.tif 000009
【図８】
2019088384.tif 000010
【図９】
2019088384.tif 000011
【図１０】
2019088384.tif 000012